(57)【特許請求の範囲】
【請求項１】
扱胴（５）を内装した扱室（３）の終端に排塵口（８）を開口し、該排塵口（８）よりも後方の位置にささり粒を回収するささり回収室（９）を設け、該ささり回収室（９）の内部に前記扱胴（５）と同一軸芯回りに駆動回転する４番処理胴（１１）を軸架し、前記扱室（３）の後側方には、扱室（３）の終端から排塵処理物を受け入れて後方に搬送しながら脱粒処理する排塵処理胴（１９）を内装した排塵処理室（２０）を配置し、前記排塵処理胴（１９）の終端部に対向する左右一側には片側吸引方式の排塵ファン（２６）を配置し、前記４番処理胴（１１）には、該４番処理胴（１１）の回転によって起風し後方の排塵処理胴（１９）側から排塵ファン（２６）への送塵経路中に強制送風する送風手段（１０）を設け、
該送風手段（１０）を、４番処理胴（１１）の軸芯方向に対して適宜傾斜させて設けたソリッド歯形状のささり落し部材（１０）とし、
前記扱胴（５）の始端部分に、扱胴（５）の軸心に対して傾斜させたソリッド扱歯（４ａ）を設けて扱室（３）の後方へ向けて送風するとともに、前記ささり落し部材（１０）の起風による送風量を、前記ソリッド扱歯（４ａ）の起風による送風量よりも大きく設定したことを特徴とする脱穀装置。
【請求項２】
前記４番処理胴（１１）の回転速度を前記扱胴（５）の回転速度よりも高速に設定したことを特徴とする請求項１記載の脱穀装置。
【請求項３】
前記扱室（３）における排塵処理室（２０）への送塵路（２１）を形成した部位から刺さり回収室（９）に亘って、前記４番処理胴（１１）を配置したことを特徴とする請求項２記載の脱穀装置。
【発明の詳細な説明】
【技術分野】
【０００１】
この発明は、脱穀処理後の排藁中に混入するささり粒を扱き落として回収する４番処理胴を備えた脱穀装置に関する。
【背景技術】
【０００２】
従来、例えば、特許文献１には、扱胴を内装軸架した扱室の終端側に、扱室下方の選別室及び排塵処理室の始端に通ずる第１排塵経路と第２排塵経路を前後に配置して設け、第１排塵経路では、扱室内で多量に発生する排塵処理物の処理を行い、第２排塵経路では、ささり粒の処理作用を行う脱穀装置が開示されている。
【先行技術文献】
【特許文献】
【０００３】
【特許文献１】特開２００７−２６７６２７号公報
【発明の概要】
【発明が解決しようとする課題】
【０００４】
ささり粒の処理作用を行う第２排塵経路では、扱胴の終端に設けられた扱歯が中抜きされた通常の山型扱歯であるため、後方への送風能力がなく、多量に発生する藁屑が扱室の第２排塵経路内を持ち回りされながら、この第２排塵経路を通じて下方の揺動選別棚上に集中落下することが多く、揺動選別に負担がかかり、選別性能の低下を招く問題があった。
【０００５】
本発明は、かかる問題点を解消することにあり、４番処理胴からの処理物を後方への送風力によって分散し、揺動選別棚への集中落下をなくし、負担を軽くして選別性能を高め、しかも、排塵処理胴側から対向する排塵ファンに向かって吸塵される処理物に送風することで、再選別を促進し、処理能力の向上を図る。
【課題を解決するための手段】
【０００６】
この発明は、上記課題を解決すべく次のような技術的手段を講じた。
すなわち、請求項１記載の発明は、扱胴（５）を内装した扱室（３）の終端に排塵口（８）を開口し、該排塵口（８）よりも後方の位置にささり粒を回収するささり回収室（９）を設け、該ささり回収室（９）の内部に前記扱胴（５）と同一軸芯回りに駆動回転する４番処理胴（１１）を軸架し、前記扱室（３）の後側方には、扱室（３）の終端から排塵処理物を受け入れて後方に搬送しながら脱粒処理する排塵処理胴（１９）を内装した排塵処理室（２０）を配置し、前記排塵処理胴（１９）の終端部に対向する左右一側には片側吸引方式の排塵ファン（２６）を配置し、前記４番処理胴（１１）には、該４番処理胴（１１）の回転によって起風し後方の排塵処理胴（１９）側から排塵ファン（２６）への送塵経路中に強制送風する送風手段（１０）を設け、該送風手段（１０）を、４番処理胴（１１）の軸芯方向に対して適宜傾斜させて設けたソリッド歯形状のささり落し部材（１０）とし、前記扱胴（５）の始端部分に、扱胴（５）の軸心に対して傾斜させたソリッド扱歯（４ａ）を設けて扱室（３）の後方へ向けて送風するとともに、前記ささり落し部材（１０）の起風による送風量を、前記ソリッド扱歯（４ａ）の起風による送風量よりも大きく設定したことを特徴とする脱穀装置とする。
【０００７】
扱室（３）内を通過する穀稈は扱胴（５）の回転によって脱穀処理され、扱室（３）の後部のささり回収室（９）内では、脱穀処理後の排藁中に混入するささり粒が４番処理胴（１１）の強制回転により扱き落とされる。
【０００８】
扱室（３）終端より排塵処理室（１９）内に取り込まれた排塵処理物は、回転する排塵処理胴（１９）によって軸芯方向後方に搬送されながら脱粒処理される。
排塵処理胴（１９）の終端側から側方に投げ出される排塵処理物は、下方の揺動選別棚上に落下するものと、対向側の排塵ファン（２６）に向かって吸塵されるものとに分別される。
【０００９】
送風手段（１０）にて４番処理胴（１１）の回転により発生する風が後方に向けて強制送風されるが、この後方への強制送風によってささり回収室（９）内での処理物が後方に送り出されて分散処理される。しかも、その後方への強制送風が、排塵処理胴（１９）の終端側より排出されて、揺動選別棚上を横断するように排塵ファン（２６）側に向かって送塵される排塵処理物にも及ぶこととなり、処理物の再選別が促進され、処理能力が向上する。
また、ささり落し部材（１０）そのものがささり落し機能と起風機能をもつ構成であるため、処理物の揺動選別棚上への分散効果を高めることでき、ささり落し部材とは別に起風翼を設ける必要がなく、簡単な構成でもって、排塵処理胴側からの排塵処理物も良好に選別処理することができる。
【００１０】
請求項２記載の発明は、前記４番処理胴（１１）の回転速度を前記扱胴（５）の回転速度よりも高速に設定したことを特徴とする請求項１記載の脱穀装置とする。
【００１１】
請求項３記載の発明は、前記扱室（３）における排塵処理室（２０）への送塵路（２１）を形成した部位から刺さり回収室（９）に亘って、前記４番処理胴（１１）を配置したことを特徴とする請求項２記載の脱穀装置とする。
【発明の効果】
【００１２】
請求項１記載の発明によれば、送風手段（１０）にて４番処理胴（１１）の回転により発生する風を、排塵処理胴（１９）の終端側より排出され、対向する排塵ファン（２６）側に向かって送塵される排塵処理物に送風するので、分散効果を高めながら、処理物の再選別が促進され、処理能力が向上し、選別性能の向上を図ることができる。
また、ささり落し部材（１０）が起風機能を持つ構成であるため、処理物の揺動選別棚上への分散効果をより高めることでき、起風翼を別に設ける必要もなく、簡単な構成でもってよりよい選別効果を発揮することができる。
また、扱胴（５）の始端部分にソリッド扱歯（４ａ）を設けて扱室（３）の後方へ向けて送風するので、排塵ファン（２６）に向けて送塵される排塵物への送風量を増加させることができる。
【００１３】
請求項２記載の発明によれば、請求項１記載の発明の効果を奏するものでありながら、ささり粒を藁稈より除去する性能が向上し、４番ロスを低減することができる。
請求項３記載の発明によれば、請求項２記載の発明の効果を奏するものでありながら、扱室（３）から排塵処理室（２０）への送塵が速やかに行え、排塵処理性能を向上させることができる。
【図面の簡単な説明】
【００１４】
【図１】脱穀装置の側断面図
【図２】脱穀装置の一部破断せる平面図
【図３】脱穀装置の要部の平断面図
【図４】脱穀装置の要部の縦断背面図
【図５】扱胴及び４番処理胴の平面図
【図６】脱穀装置の要部の平断面図
【図７】扱胴及び４番処理胴の別構成の平面図
【図８】脱穀装置の別構成の側断面図
【図９】脱穀装置要部の別構成の平断面図
【図１０】脱穀装置要部の別構成の縦断背面図
【発明を実施するための形態】
【００１５】
この発明の実施例を図面に基づき説明する。
図１は、脱穀装置の側断面図を示すものであり、次のような構成になっている。
すなわち、脱穀装置（脱穀部）１は、脱穀フィードチェン２により株元を挟持しながら搬送される穀稈の穂先部を扱室３内で駆動回転する扱歯４付扱胴５により脱穀処理するよう構成している。扱室３の下半周部には受網６が張設され、扱胴５の上部を覆う扱胴カバー７は、扱室の一側を支点として揺動開閉する構成である。扱室３の終端側には多量の藁屑や未処理物を含む排塵処理物を下方に落下させる排塵口８が設けられている。扱室３終端の排塵口８より後方部には、排藁中のささり粒を掻き落して回収するささり回収室９を構成して設け、このささり回収室９には、前記扱胴５と略同径で同一軸芯回りに強制回転する外周にささり落し歯１０を有した４番処理胴１１を内装軸架している。４番処理胴１１は、実施例（図１〜図５）では前記扱胴５と一体構成としてあり、該扱胴を扱室終端より長く延出させた構成としている。扱室３始端側の前側板１２と中仕切板１３との間に受網６が張設され、扱室の中仕切板１３から扱室終端の後仕切板１４間に排塵口８が開口して設けられ、後仕切板１４と後側板１５との間にささり回収室９が構成されている。
【００１６】
前記扱室３のフィードチェン２側とは反対側一側には２番処理胴１６を内装軸架した２番処理室１７を並設している。また、前記２番処理胴１６の後方にはこれと同一軸芯上において外周に排塵処理歯１８を備えた排塵処理胴１９を内装軸架した排塵処理室２０を構成して設けている。前記扱室終端の排塵口８に対応する部位から排塵処理室２０始端への送塵路２１には、排塵処理胴１９の始端部に固着されたスパイラー形状の取込羽根２２が介入するように設けて、排塵処理室内への排塵物の取込みが容易に行えるようにしている。排塵処理胴１９の終端には排出羽根２３が設けられ、処理室終端まで送られてきた排塵処理物を前記排出羽根２３によって処理室終端の横側部の排出口から下方の揺動選別棚３０上で排塵ファン２６側に向けて排出する構成としている。また、排塵処理室の終端側では、処理室受網２４の開口部２４ａから比較的小さい藁屑を含む排塵処理物が排塵処理胴１９の矢印方向（背面視左回り）の回転によってささり回収室後方の排塵選別室２５内を矢印Ｆ方向に向けて投げ出されるようになっている。
【００１７】
排塵選別室２５の排塵処理胴１９側とは反対側（排塵処理胴に対向する側）一側には片側吸引方式の吸引口２６ａをもつ排塵ファン２６が対向配置されている。
４番処理胴１１のささり落し部材１０は、ソリッド歯とし、４番処理胴円周方向に所定間隔おきに配設すると共に、扱胴軸芯方向に対して適宜傾斜（θ角）させて設け、４番処理胴の回転により起風し易くし、ささり回収室９の後側板１５の下部より揺動選別棚３０上を後方に向かう矢印Ａ方向へ送風できるように構成している。これにより、揺動棚上での分散及び風選別により穀粒と藁塵の分離が良好に行える。また、矢印Ａ方向の送風により、前記排塵処理胴１９側から排塵ファン２６側に向かって送塵される排塵物中に吹き付けられ再選別が効果的に行われる。
【００１８】
なお、このソリッド歯１０は、図例のように、後方傾斜とすることにより、送風方向が後方向きとなるので、４番処理胴１１を通過した排藁に向けて送風することができ、ささり粒除去が促進され性能が向上する。
【００１９】
また、前記ソリッド歯１０による起風に加えて、唐箕３５と排塵ファン２６による選別風が作用するように構成することで、風選別能力が増大し、選別性能が向上する。
扱胴５の始端にもソリッド扱歯（インレットツース）４aを設け、扱胴軸芯方向に対して所定角度に傾斜させて扱室後方に向けての起風が可能な構成とし、扱室からの送塵を補助すると共に、扱室からの送風効果を高め、排塵ファン２６に向けて送塵される排塵物への送風量を増加させ、且つ、扱室内への穀稈の取り込みを容易にした構成としている。
【００２０】
揺動選別棚３０は、脱穀処理後の処理物を受け入れて揺動移送しながらふるい選別する構成であり、選別方向上手側から移送棚３１、チャフシ−ブ３２、ストロ−ラック３３の順に配置し、且つ、前記チャフシ−ブ３２の下方にグレンシ−ブ３４を配置して設けた構成としている。また、揺動選別棚３０の下方には選別方向の上手側から順に、唐箕３５と、１番移送螺旋３６、２番移送螺旋３７と、その上方に排塵フアン２６を設けて選別室を構成している。
【００２１】
図６及び図７に示す実施例では、扱室３終端の排塵処理室への送塵路２１の後方位置にささり粒を回収するささり回収室９を構成して設け、このささり回収室９の内部には前記扱胴５の後方延長線上で扱胴軸と同一軸芯回りに強制回転する４番処理胴１１を架設した構成のものにおいて、扱胴５を前後に分割し、後部の４番処理胴１１の回転速度を前部の扱胴５より速くすることで、ささり回収室内での４番処理胴を増速する構成としている。これにより、ささり粒を藁稈より除去する性能が向上し、４番ロスの低減を図ることができ、ささり落し部材のソリッド歯による起風力を大きくでき、送風選別効果をより高めることができる。
【００２２】
また、４番処理胴の増速部は、排塵処理室への送塵路２１部と、ささり回収室９部を含む範囲内とすることで、扱室から排塵処理室への送塵が速やかに行え、排塵処理性能の向上が図れる。
【００２３】
なお、扱胴前部のソリッド歯４ａよりも４番処理胴のソリッド歯１０による送風量を大きくすることで、扱室内での藁塵が放出されやすくなり、排塵ファンへの送塵効果もアップする。
【００２４】
図８〜図１０に示す実施例は、片側吸引方式の排塵ファンに代えて横断流ファン２７を配置して設けた構成としている。この横断流ファン２７は、選別風が選別室全幅に及び、ささり落し部材のスリット歯による後方への送塵及び送風とあいまって吸塵効果が高まり、選別処理性能が向上する。
【００２５】
ささり回収室９と横断流ファン２７との間には、ささり回収室からの排塵物を受け入れて後方の横断流ファンに向けて送塵しながらふるい選別する排塵ラック２８と排塵フィン２９を設け、揺動選別棚３０の上側でこれと一体的に揺動するよう連動構成している。排塵ラック２８は、排塵物を後方に送りながらさばき、排塵フィン２９は、排塵ラック２８からの排塵物を受け継いで後方に送りながら穀粒と藁塵とに分離し、穀粒を下方にふるい落し、藁塵のみ横断流ファン２７に送り込んで吸塵させる構成としている。従って、回収室からの排塵処理物のふるい選別が良好に行え、横断流ファンへの吸塵選別効果を高めることができる。
【符号の説明】
【００２６】
３  扱室
４ａ  ソリッド扱歯
５  扱胴
８  排塵口
９  ささり回収室
１０  送風手段（ささり落し部材）
１１  ４番処理胴
１９  排塵処理胴
２０  排塵処理室
２１  送塵路
２６  排塵ファン
【図１】
0005481997.tif 000002
【図２】
0005481997.tif 000003
【図３】
0005481997.tif 000004
【図４】
0005481997.tif 000005
【図５】
0005481997.tif 000006
【図６】
0005481997.tif 000007
【図７】
0005481997.tif 000008
【図８】
0005481997.tif 000009
【図９】
0005481997.tif 000010
【図１０】
0005481997.tif 000011